(57)【要約】【課題】  補助根太を省略することにより施工作業の簡略化を図りつつ、高い位置精度で設置可能であり、枠体自身の変形を防止することにより気密性及び断熱性を確保するとともに躓き等を防止し、更に設置箇所の自由度が高い床開口用枠体を提供すること。【解決手段】  床の開口部に嵌合され得る形状を有し、開口部側から根太側へ向けて貫通する取付孔が複数設けられている基体と、基体に設けられ、床面に係止される係止部とからなる枠部材、及び、取付孔に嵌挿され得る形状を有し、開口部側から根太方向へ向けて固定具が挿通される挿通孔が形成された支持部材を備えたことを特徴とする床開口用枠体。【選択図】    図１
2008196271.tif 000002
【特許請求の範囲】
【請求項１】
床の開口部に嵌合され得る形状を有し、前記開口部側から根太側へ向けて貫通する取付孔が複数設けられている基体と、前記基体に設けられ、床面に係止される係止部とからなる枠部材、及び、
前記取付孔に嵌挿され得る形状を有し、前記開口部側から根太側へ向けて固定具が挿通される挿通孔が形成された支持部材
を備えたことを特徴とする床開口用枠体。
【請求項２】
前記支持部材は、前記取付孔の周に略沿った外形を有する本体部と、前記本体部に設けられた舌片とを備え、
前記挿通孔は、少なくとも前記舌片に形成されており、
前記舌片は、弾性を有し、その上端のみが前記本体部に固定されるとともに、その下端側が前記開口部側へ向かうように傾斜している請求項１に記載の床開口用枠体。
【請求項３】
前記取付孔の開口、及び、前記支持部材の断面視外形は、一角が面取りされた矩形状を有する請求項２に記載の床開口用枠体。
【請求項４】
前記基体は、平面視矩形状を有し、前記取付孔は、前記基体の各辺に設けられており、前記取付孔の位置は、前記基体の辺ごとに異なる請求項１〜３のいずれか１に記載の床開口用枠体。
【請求項５】
前記基体は、前記係止部から前記開口部の側面に沿って下方に垂下する板状部と、前記板状部に対して直交するように設けられた筒状部とを含んで構成され、前記筒状部が、前記取付孔を有する請求項１〜４のいずれか１に記載の床開口用枠体。
【請求項６】
開口部が形成された床板と根太とを備え、
請求項１〜５のいずれか１に記載の床開口用枠体が設置され、
前記根太には、前記床開口用枠体を支持するための補助根太が設けられていないことを特徴とする床構造。
【請求項７】
請求項１〜５のいずれか１に記載の床開口用枠体を、開口部が形成された床板と根太とを備える床構造に設置する床開口用枠体の設置方法であって、
前記開口部に前記枠部材を嵌合し、前記床面に前記係止部を係止させる工程と、
前記取付孔に前記支持部材を嵌挿し、前記支持部材を前記根太に当接させる工程と、
前記支持部材の前記挿通孔に前記固定具を挿通して固定する工程と
を含み、
前記根太に前記床開口用枠体を支持するための補助根太を設ける工程を含まないことを特徴とする床開口用枠体の設置方法。
【発明の詳細な説明】
【技術分野】
【０００１】
本発明は、床開口用枠体、該床開口用枠体が設置された床構造、及び、該開口用枠体の設置方法に関する。
【背景技術】
【０００２】
住宅等の建造物には、例えば、床下点検口や床下収納庫等が設けられたものが多く存在する。このような床下点検口や床下収納庫等は、一般的に、床板に形成された開口に枠体が設置され、その枠体に蓋が開閉可能に嵌め込まれることにより設置される。
枠体は、床面との段差を小さくして躓きを防止するとともに、軽量化を図って施工時の作業性・取り扱い性を向上させる観点から、その板厚が小さく設定される必要がある。
その一方で、枠体が変形すると、床下と室内との間の気密性が損なわれて、断熱性能が低下して冷暖房効率が悪化するおそれがあり、また変形箇所が床面から突出して人が躓くおそれもあるため、枠体には、蓋の上を通過する人の荷重にも耐え得る充分な強度が要求される。
【０００３】
従って、従来の床開口用枠体は、板厚を小さくするとともに充分な強度を得るために、根太の側面に横渡しに固定された角柱状の補助根太に支持されるように構成されていた（例えば、特許文献１〜３参照）。このような従来の床開口用枠体の構造について説明する。
【０００４】
図９は、従来の床下収納庫の床板近傍を拡大した部分拡大縦断面図である。
根太２９１の上面には、床板２９０が設置され、床板２９０には、開口部２９９が形成されている。根太２９１の側面２９１ａの所定位置には、角柱状の補助根太２９２が横渡しで設けられ、補助根太２９２は釘２９３で根太２９１に固定されている。
金属板からなる枠体２１０は、床板２９０の開口部２９９に嵌め込まれ、気密シール２８２を介して、床板２９０の側面２９０ｂ及び根太２９１の側面２９１ａと接している。また、枠体２１０の下部は、気密材２８３を介して、補助根太２９２の上面と接している。更に、枠体２１０の上端に位置し、床面２９０ａに沿って水平方向に延びる係止片２１１は、両面シール２８４を介して、床面２９０ａに貼着されることにより係止されている。枠体２１０には、収納ボックス２８０が嵌め込まれ、更に蓋２８１が開閉可能に嵌め込まれる。
【０００５】
図９に示す構造では、例えば、図１０（ａ）に示すように、補助根太２９２を設計位置より下側に設置した場合、枠体２１０と補助根太２９２との間に隙間２８５が生じるため、枠体２１０に変形が生じたり、気密性が低下したりするという問題があった。
その一方で、図１０（ｂ）に示すように、補助根太２９２を設計位置より上側に設置した場合には、枠体２１０の係止片２１１と床面２９０ａとの間に隙間２８６が生じるため、枠体２１０が床面２９０ａより上側に突出し、人が躓いたり、枠体が破損したりするおそれがあった。
【０００６】
このように、補助根太２９２を用いる構造では、図１０（ａ）、（ｂ）に示すように、補助根太２９２の取付位置が上下方向に僅かにずれても、種々の問題が生じることになるため、高い取付精度が要求され、施工が困難であるという問題があった。
そこで、補助根太を省略した床開口用枠体の構造が種々提案されている（例えば、特許文献４、５参照）。このような従来の床開口用枠体の構造について説明する。
【０００７】
図１１は、従来の床下収納庫の床下近傍を拡大した部分拡大縦断面図である。
根太３９１の上面には、床板３９０が設置され、床板３９０には、開口部３９９が形成されている。なお、図９に示した例とは異なり、根太３９１に補助根太３９２は設けられていない。
金属板からなる枠体３１０は、床板３９０の開口部３９９に嵌め込まれ、気密シール３８２を介して、床板３９０の側面３９０ｂ及び根太３９１の側面３９１ａと接している。また、枠体３１０の上端に位置し、床面３９０ａに沿って水平方向に延びる係止部３１１は、両面シール３８４を介して、床面３９０ａに貼着されることにより係止されている。更に、枠体３１０は、釘３９３で根太３９１に固定されている。
枠体３１０には、収納ボックス３８０が嵌め込まれ、更に蓋３８１が開閉可能に嵌め込まれる。
【０００８】
図１１に示す枠体３１０を設置する場合、先ず床面３９０ａに、両面シール３８４により、枠体３１０の係止部３１１を貼着させることにより係止させ、その後、釘３９３で枠体３１０を根太３９１に固定する。これにより、正確に且つ簡単に枠体３１０を設置することができる。
しかしながら、補助根太を省略すると、補助根太によって枠体３１０が支持されないため、強度が不足してしまい、収納ボックスや蓋（図示せず）等の荷重によって、図１２（ａ）に示すように、枠体３１０が変形するおそれがあった。その結果、気密性や断熱性が低下し、また人が躓くおそれがあった。
【０００９】
また、図１１に示す枠体３１０は、係止部３１１を床面３９０ａに係止した状態で、釘３９３により根太３９１に固定されるものであるため、図１２（ｂ）に示すように、床板３９０の側面３９０ｂと、根太３９１の側面３９１ａとの間に段差があると釘３９３を打ち込むことができず、設置箇所の自由度が低いという問題があった。
【００１０】
【特許文献１】特開２０００−３１４２２９号公報
【特許文献２】特開２００１−２０７６３５号公報
【特許文献３】特開２００４−２７８１２２号公報
【特許文献４】特開２０００−７３５５６号公報
【特許文献５】特開２０００−３３６９２１号公報
【発明の開示】
【発明が解決しようとする課題】
【００１１】
本発明は、上述した課題に鑑みてなされたものであり、その目的は、補助根太を省略することにより施工作業の簡略化を図りつつ、高い位置精度で設置可能であり、枠体自身の変形を防止することにより気密性及び断熱性を確保するとともに躓き等を防止し、更に設置箇所の自由度が高い床開口用枠体、該床開口用枠体が設けられた床構造、及び、該床開口用枠体の設置方法に関する。
【課題を解決するための手段】
【００１２】
以上のような目的を達成するために、本発明は、以下のようなものを提供する。
（１）  床の開口部に嵌合され得る形状を有し、上記開口部側から根太側へ向けて貫通する取付孔が複数設けられている基体と、上記基体に設けられ、床面に係止される係止部とからなる枠部材、及び、
上記取付孔に嵌挿され得る形状を有し、上記開口部側から根太側へ向けて固定具が挿通される挿通孔が形成された支持部材
を備えたことを特徴とする床開口用枠体。
【００１３】
図１１に示したように、固定具により直接、枠体が支持される構造であると、強度が不足し、枠体が変形するおそれがある。しかしながら、（１）の発明では、枠部材の取付孔に支持部材が嵌挿され、その支持部材の挿通孔に固定具が打ち込まれるため、枠部材が支持部材によって支持されることになる。従って、補助根太を省略しても、強度を確保することができるため、変形等を防止することができ、気密性及び断熱性を確保するとともに躓き等を防止することができる。
【００１４】
また、（１）の発明によれば、枠部材を開口部に嵌合し、上記枠部材の係止部を床面に係止した状態で、各取付孔に支持部材を嵌挿し、支持部材の挿通孔に固定具（例えば釘、螺子、ピン等）を打ち込むことにより、枠体を開口部に設置することができるため、枠体の設置に際して部材の位置合わせが不要である。従って、補助根太を省略して施工作業の簡略化を図りつつ、高い位置精度で設置可能である。
【００１５】
更に、（１）の発明によれば、床板の開口部の側面と根太の側面とに段差がある場合であっても、枠体を設置することができる。すなわち、枠部材の係止部を床面に係止した状態で各取付孔に支持部材を嵌挿する際、支持部材が根太の側面に接する位置まで、支持部材を押し込み、その状態で支持部材の挿通孔に固定具を打ち込むことにより、床板の開口部の側面と根太の側面とに段差がある場合であっても、枠体を設置することができる。
従って、（１）の発明に係る床開口用枠体は、設置箇所の自由度が高いものである。
【００１６】
さらに、本発明は、以下のようなものを提供する。
（２）  上記（１）の床開口用枠体であって、
上記支持部材は、上記取付孔の周に略沿った外形を有する本体部と、上記本体部に設けられた舌片とを備え、
上記挿通孔は、少なくとも上記舌片に形成されており、
上記舌片は、弾性を有し、その上端のみが上記本体部に固定されるとともに、その下端側が上記開口部側へ向かうように傾斜している。
【００１７】
（２）の発明によれば、枠部材の取付孔に支持部材を嵌挿し、舌片に形成された挿通孔に固定具を打ち込むと、舌片の弾性力に抗して、舌片の下端側が開口部側から根太側に移動するため、舌片には、上端を軸として下端側が開口部側へ戻ろうとする付勢力が生じる。この付勢力は、固定具が根太に固定されているため、枠部材の係止部を下方に押し下げる力となる（図１（ｂ）参照）。従って、係止部と床面との密着性を向上させることができ、気密性及び断熱性を高めることができる。
【００１８】
さらに、本発明は、以下のようなものを提供する。
（３）  上記（２）の床開口用枠体であって、
上記取付孔の開口、及び、上記支持部材の断面視外形は、一角が面取りされた矩形状を有する。
【００１９】
（３）の発明によれば、取付孔の開口、及び、支持部材の断面視外形は、一角が面取りされた矩形状を有するため、支持部材を取付孔に嵌挿する際、支持部材の向きを誤ってしまうことがない。上記（２）の発明では、舌片の上端が固定されるとともに下端側が開口部側に傾斜しているため、固定具を取り付けた際の付勢力によって係止部と床面との密着性を向上させるという効果を奏するが、支持部材を上下反転させて取り付けてしまうと、このような効果を奏さないばかりか、却って密着性を悪化させるおそれもある。しかしながら、（３）の発明では、支持部材の向きを誤ることがないため、確実に係止部と床面との密着性を向上させることができる。さらに、支持部材の向きを誤ることがないため、施工時に支持部材の向きを確認する必要がなく、施工作業の効率化を図ることができる。
【００２０】
さらに、本発明は、以下のようなものを提供する。
（４）  上記（１）〜（３）のいずれか１の床開口用枠体であって、
上記基体は、平面視矩形状を有し、上記取付孔は、上記基体の各辺に設けられており、上記取付孔の位置は、上記基体の辺ごとに異なる。
【００２１】
（４）の発明によれば、基体の辺ごとに取付孔の位置が異なるため、固定具の打ち込みに失敗して根太に孔が生じても、枠部材の嵌合向きを変更することで、その孔とは別の位置に固定具を打ち込むことが可能であり、強固に枠体を取り付けることができる。
【００２２】
さらに、本発明は、以下のようなものを提供する。
（５）  上記（１）〜（４）のいずれか１の床開口用枠体であって、
上記基体は、上記係止部から上記開口部の側面に沿って下方に垂下する板状部と、上記板状部に対して直交するように設けられた筒状部とを含んで構成され、上記筒状部が、上記取付孔を有することを特徴とする。
【００２３】
（５）の発明によれば、支持部材が嵌挿される取付孔を有する筒状部が、板状部に対して直交するように設けられているため、枠部材の強度を確保することができ、枠部材の変形をより確実に防止することができるからである。
【００２４】
また、本発明は、以下のようなものを提供する。
（６）開口部が形成された床板と根太とを備え、
上記（１）〜（５）のいずれか１の床開口用枠体が設置され、
上記根太には、上記床開口用枠体を支持するための補助根太が設けられていないことを特徴とする床構造。
【００２５】
また、本発明は、以下のようなものを提供する。
（７）  上記（１）〜（５）のいずれか１の床開口用枠体を、開口部が形成された床板と根太とを備える床構造に設置する床開口用枠体の設置方法であって、
上記開口部に上記枠部材を嵌合し、上記床面に上記係止部を係止させる工程と、
上記取付孔に上記支持部材を嵌挿し、上記支持部材を上記根太に当接させる工程と、
上記支持部材の上記挿通孔に上記固定具を挿通して固定する工程と
を含み、
上記根太に上記床開口用枠体を支持するための補助根太を設ける工程を含まないことを特徴とする床開口用枠体の設置方法。
【発明の効果】
【００２６】
本発明によれば、補助根太を省略することにより施工作業の簡略化を図りつつ、高い位置精度で設置可能であり、枠体自身の変形を防止することにより気密性及び断熱性を確保すくとともに躓き等を防止し、更に設置箇所の自由度を高めることができる。
【発明を実施するための最良の形態】
【００２７】
以下、本発明の床開口用枠体の一例として、本発明を床下収納庫に適用した場合について説明する。
ただし、本発明の床開口用枠体の用途は、特に限定されるものではなく、床下収納庫以外に、例えば、床下点検口等を挙げることができる。
【００２８】
図１（ａ）は、本発明の床開口用枠体を模式的に示す縦断面図であり、（ｂ）は、（ａ）に示す例において釘を打ち込んだ場合の様子を模式的に示す縦断面図である。
根太９１の上面には、床板９０が設置され、床板９０には、開口部９９が形成されている。なお、根太９１に補助根太９２は設けられていない。
後述するように、本発明の床開口用枠体１は、枠部材１０を支持部材４０により支持するものであるから、補助根太が設置されていない床構造に好適に用いられる。
【００２９】
床開口枠体１は、枠部材１０と、支持部材４０とからなる。
枠部材１０は、樹脂板が所定形状に加工されたものであり、係止部１１と基体１２とからなる。本発明において、枠部材の材質は、特に限定されるものではなく、樹脂製のものであってもよく、金属製のものであってもよい。なお、枠部材は、強度確保の観点から、一体的に成形されたものであることが望ましい。
【００３０】
係止部１１は、気密パッキン８３を介して床面９０ａに係止されるものである。後述するように、本発明の床開口枠体は、設置することにより、係止部に対して下方に力が加わるため、従来の枠体のように係止部を両面テープにより床面に貼着しなくてもよい。従って、施工時の作業効率の向上を図ることができるとともに、床の不陸を考慮して気密性の向上を図ることができる。なお、気密パッキン８３は、予め係止部１１に取り付けられていてもよく、施工時に床面９０ａの所定位置に設置されることとしてもよい。
【００３１】
基体１２は、係止部１１から垂下し、気密シール８２を介して床板９０の側面９０ｂに接する外側部１７と、外側部１７の途中から開口部９９側に突出し、蓋８１を支持する部分を構成する台座部１５と、外面に突部１６を備えるとともに内側に取付孔１４が形成された角筒状部１３とを備える。突部１６は、収納ボックス８０の脱落やズレを防止するためのものである。取付孔１４は、開口部９９側から根太９１方向へ向けて水平方向に貫通した孔であり、後述する支持部材４０が嵌挿される。
枠部材１０については、後で図４〜図８を用いて詳述する。
【００３２】
支持部材４０は、ナイロン製、ポリプロピレン製等の樹脂製であり、取付孔１４に嵌挿され得る角筒形状を有する本体部４１と、本体部４１に設けられた舌片４２とを備えている。舌片４２は、その上端のみが本体部４１に固定されるとともに、その下端側が開口部９９側へ向かうように傾斜している。舌片４２には、開口部９９側から根太９１方向へ向けて径が小さくなるテーパ状の挿通孔４３が形成されている。また、本体部４１には、挿通孔４３と連通する挿通孔４４が形成されている。また、取付孔１４には、気密性の確保のために、キャップ２０が嵌め込まれている。支持部材４０については、後で図３を用いて詳述する。
【００３３】
釘９３を挿通孔４３、４４に挿通し、根太９１に打ち込むと、図１（ｂ）に示すように、舌片４２の弾性力に抗して、舌片４２の下端側が開口部９９側から根太９１方向に移動する。その結果、舌片４２には、上端を軸として下端側が開口部９９側へ戻ろうとする付勢力（矢印Ａ方向）が働くが、釘９３が根太９１に固定されているため、その付勢力は、枠部材１０の係止部１１を下方に押し下げる力（矢印Ｂ方向）となる。従って、係止部１１と床面９０ａとの密着性を向上させることができ、気密性及び断熱性を高めることができる。
【００３４】
本発明に係る床開口用枠体１は、勿論、図１に示すように、床板９０の側面９０ｂと根太９１の側面９１ｂとの間に段差がない場合に適用可能であるが、床板と根太との側面に段差がある場合にも適用可能である。
このようにする場合、図２に示すように、枠部材１０の係止部１１を床面９０ａに係止した状態で取付孔１４に支持部材４０を嵌挿する際、支持部材４０が根太９１の側面９１ｂに接する位置まで、支持部材４０を押し込み、その状態で支持部材４０の挿通孔４３、４４に釘９３を打ち込むことにより、床板９０の側面９０ｂと根太９１の側面９１ｂとの段差に関わらず、床開口用枠体１の設置が可能である。
このように、本発明において、枠部材は、取付孔の根太側開口部より突出して支持部材が嵌挿され得るように構成されていることが望ましい。当該構成を有する床開口用枠体によれば、床板開口の側面と根太の側面とに段差がある床構造にも適用することができるからである。
【００３５】
次に、支持部材４０について説明する。
図３（ａ）は、支持部材を模式的に示す正面図であり、（ｂ）は、その平面図であり、（ｃ）は、その縦断面図であり、（ｄ）は、その底面図であり、（ｅ）は、その背面図である。
支持部材４０は、ポリプロピレン製であり、略矩形筒状を有する本体部４１と、本体部４１に設けられた舌片４２とを備える。本体部４１には、下側の一角がＣ面取りされることにより面取部４１ａが形成されており、本体部４１の外形（図３（ａ）、（ｅ）参照）は、後述する取付孔１４の周（図８（ａ）、（ｅ）参照）に略沿うものである。
これにより、支持部材４０の取付方向の誤りが生じることを防止することができる。また、取付方向の確認が不要となるため、施工の作業効率を向上させることができる。
【００３６】
本体部４１の正面側（図３（ａ）側）は筒状になっており、その内側には舌片４２が設けられている。舌片４２は、上端のみが本体部４１に固定されるとともに、その下端側が開口部側（図３（ｃ）における左側）へ向かうように傾斜している。舌片４２は、開口部側又は根太側（図３（ｃ）における右方向）へ移動可能なように、本体部４１との接合部分の板厚が、他の部分より薄くなっている。舌片４２は、弾性を有しており、図１（ｂ）を用いて説明したように、根太側に移動した際には開口部方向への付勢力が生じる。
【００３７】
舌片４２には、固定具としての釘（図示せず）が挿通される挿通孔４３が形成されている。なお、挿通孔４３は、開口部側（図３（ｃ）における左側）の径が大きいテーパ状を有している。従って、釘が打ち込まれることによって舌片４２が根太側（図３（ｃ）における右側）に移動した際の舌片４２の破損を防止することができる。
また、本体部４１の内側には、台座部４１ｂが設けられている。釘等の固定具が打ち込まれると、舌片４２は、鉛直方向を向いて台座部４３と面接触する。
舌片４２が鉛直方向を向いた際に面接触する位置に台座部４３が設けられているので、固定具を打ち込んだ際に舌片４２が破損することを防止することができる。
なお、本発明において、固定具としては、特に限定されるものではなく、例えば、釘、螺子、ピン等の従来公知のものを採用することができる。
【００３８】
台座部４３の中央部分には、舌片４２の挿通孔４３と連通する挿通孔４４が形成されている。このように、可動する部分である舌片４２に挿通孔４３を形成するとともに、可動しない部分である台座部４３（本体部４１）に挿通孔４４を形成することにより、固定具により固定する際の支持部材４０の位置ズレを防止することができる。
【００３９】
本体部４１の上面側から、上下方向に弾性を有し、上面から僅かに突出する３つの押圧片４５、４６、４７が設けられている。押圧片４５、４６、４７は、支持部材４０が取付孔１４（図示せず）に取り付けられたときに、その弾性に抗して下方に移動するため、押圧片４５、４６、４７には、上方へ戻ろうとする付勢力が生じ、その付勢力によって押圧片４５、４６、４７は、取付孔１４の面を押し上げる。その結果、支持部材４０の取付孔１４内での位置ズレを防止することができる。
【００４０】
押圧片４５、４６、４７は、３点で取付孔１４の面と接触し、押圧片４５は、開口部側から根太側へ向かう方向に延びる一方、押圧片４６、４７は、その方向と垂直に交わる方向に延びている。この配置及び形状によっても、支持部材４０の取付孔１４内での位置ズレが防止される。
【００４１】
本体部４１の底面側には、底面から僅かに突出する１つの案内片４８が設けられている。後述するが、支持部材４０が取り付けられる取付孔１４には、開口部側から根太側へ向かう方向に案内溝１８が形成されている。案内片４８は、その案内溝１８に沿って移動可能である。これにより、支持部材４０の円滑な取付と位置ズレの防止とを行うことができる。
【００４２】
次に、枠部材１０について説明する。
図４は、本発明に係る枠部材を模式的に示す平面図である。
枠部材１０は、平面視矩形状を有しており、係止部１１と基体１２とからなる。基体１２には、各辺に３個ずつ、計１２個の取付孔１４（１４ａ〜１４ｌ）が形成されている。
取付孔１４（１４ａ〜１４ｌ）は、全て同形状である。従って、全て同形状の支持部材４０を用いて、枠部材１０の取付が可能である。
【００４３】
図中、Ｃ（Ｃ１〜Ｃ４）は、基体１２の角を示す。Ｄ（Ｄａ〜Ｄｌ）は、以下のように夫々角Ｃと取付孔１４（１４ａ〜１４ｌ）との距離を示す。
Ｄａ、Ｄｂ、Ｄｃは、夫々Ｃ１からの１４ａ、１４ｂ、１４ｃの距離を示す。
Ｄｄ、Ｄｅ、Ｄｆは、夫々Ｃ２からの１４ｄ、１４ｅ、１４ｆの距離を示す。
Ｄｇ、Ｄｈ、Ｄｉは、夫々Ｃ３からの１４ｇ、１４ｈ、１４ｉの距離を示す。
Ｄｊ、Ｄｋ、Ｄｌは、夫々Ｃ４からの１４ｊ、１４ｋ、１４ｌの距離を示す。
【００４４】
床開口用枠体１において、取付孔１４の位置は、以下のように、基体１２の辺ごとに異なっている。
Ｄａ、Ｄｄ、Ｄｇ、Ｄｊは、夫々異なっている。
Ｄｂ、Ｄｅ、Ｄｈ、Ｄｋは、夫々異なっている。
Ｄｃ、Ｄｆ、Ｄｉ、Ｄｌは、夫々異なっている。
【００４５】
従って、支持部材４０を取り付ける際の釘の打ち込みに失敗して根太に孔が生じても、開口部に対する枠部材１０の嵌合向きを変更することで、その孔とは別の位置に釘を打ち込むことが可能であり、強固に床開口用枠体１を取り付けることができる。
床開口用枠体１は、取付孔１４の位置が基体１２の辺ごとに異なるものであるが、本発明においては、例えば、対辺同士の取付孔の位置が同じであってもよく、隣接する二辺の取付孔の位置が同じであってもよい。
また、基体ごとに取付孔の位置を異ならせる構成を採用する場合、本発明において、基体は必ずしも平面視矩形状である必要はない。基体及び開口部が、枠部材が開口部に嵌合された状態で回転せずに固定されるように該枠部材を開口部に嵌合することが可能な態様が２通り以上存在する形状を有し、上記基体が、少なくとも２通りの態様で枠部材を開口部に嵌合した場合の夫々で、取付孔の位置が異なるものであればよい。そのような構成であれば、一の態様で枠部材を設置して支持部材の固定に失敗しても、他の態様で枠部材を設置し直して支持部材を固定することができる。同一箇所に固定具が打ち込まれないので、強固に枠部材を設置することができる。
【００４６】
更に、枠部材について、図５〜図８を用いて詳述する。
図５は（ａ）は、図４に示した枠部材を模式的に示す正面図であり、（ｂ）は、図４に示した枠部材の部分背面図である。
図６（ａ）は、図４に示した枠部材を模式的に示す側面図であり、（ｂ）は、図４に示した枠部材のＡ−Ａ線断面図である。
【００４７】
枠部材１０は、係止部１１と、基体１２とからなり、基体１２は、外側部１７と、台座部１５と、取付孔１４が形成された角筒状部１３とからなる。枠部材１０は、所定形状の板状体とリブとを一体的に成形してなるものである。このようにすることにより、強度の確保と軽量化とを図ることができる。
【００４８】
図７（ａ）は、図４に示した枠部材を模式的に示す縦断面図であり、（ｂ）は、（ａ）に示した枠部材のＢ−Ｂ線断面図であり、（ｃ）は、（ａ）に示した枠部材の背面図であり、（ｄ）は、（ａ）に示した枠部材の底面図である。
【００４９】
図７（ａ）〜（ｄ）に示すように、枠部材１０は、係止部１１と、基体１２とからなる。基体１２は、係止部１１から垂下する外側部１７と、外側部１７から開口部側（図７（ａ）における左側）に突出する台座部１５と、台座部１５から開口部側に所定間隔あけて設けられた突部１６と、突部１６から下方へ垂下する内側部１９とを備える。係止部１１の裏面には、帯状の凹部１１ａが形成されている。凹部１１ａには、気密パッキン８３が嵌め込まれる。
【００５０】
図８（ａ）は、図４に示した枠部材の取付孔近傍を拡大した部分拡大正面図であり、（ｂ）は、（ａ）に示した枠部材の縦断面図であり、（ｃ）は、（ｂ）に示した枠部材のＣ−Ｃ線断面図であり、（ｄ）は、（ｂ）に示した枠部材のＤ−Ｄ線断面図であり、（ｅ）は、（ａ）に示した枠部材の背面図であり、（ｆ）は、（ａ）に示した枠部材の底面図である。
【００５１】
図８（ａ）に示すように、枠部材１０は、係止部１１と、基体１２とからなる。基体１２は、係止部１１から垂下する外側部１７と、外側部１７の途中から開口部側（図８（ｂ）における左側）に突出する台座部１５と、台座部１５の下側に設けられ、開口部側から根太側（図８（ｂ）における右側）の方向に貫通する取付孔１４を有する角筒状部１３と、内側部１９とを備えている。
このように、本発明において、枠部材を構成する基体は、床板の開口部の側面に沿って係止片から下方に垂下する板状部（外枠部１７）と、該板状部に対して直交するように設けられた筒状部（角筒状部１３）とを含んで構成され、その筒状部が、開口部側から根太側に向けて貫通する取付孔を有することが望ましい。
板状部に、支持部材が嵌挿される取付孔を有する筒状部を該板状部と直交するように設けることで、枠部材の強度を確保することができ、枠部材の変形をより確実に防止することができるからである。
【００５２】
また、取付孔１４の開口は、一角に面取部１４ａを有する矩形状を有しており、支持部材４０の外形（図３（ａ）、（ｅ）参照）に略沿うものである。
また、取付孔１４の開口部側には、キャップ２０が取り付けられる。キャップ２０は、支持部材４０が取り付けられた後に嵌め込まれるものである。
【００５３】
床開口用枠体１によれば、枠部材１０の取付孔１４に支持部材４０が嵌挿され、支持部材４０の挿通孔４３、４４に釘９３が打ち込まれるため、枠部材１０が支持部材４０によって支持されることになる。従って、補助根太を省略しても、強度を確保することができるため、変形等を防止することができ、気密性及び断熱性を確保することができるとともに躓き等を防止することができる。
【００５４】
また、枠部材１０を開口部９９に嵌合し、枠部材１０の係止部１１を床面９０ａに係止した状態で、各取付孔１４に支持部材４０を嵌挿し、支持部材４０の挿通孔４３、４４に釘９３を打ち込むことにより、枠体１を開口部９９に設置することができるため、枠体１の設置に際して部材の位置合わせが不要である。従って、補助根太を省略して施工作業の簡略化を図りつつ、高い位置精度で設置可能である。
【００５５】
更に、床開口用枠体１は、図２に示したように、床板９０の開口部９９の側面９０ｂと根太９１の側面９１ｂとに段差がある場合であっても、枠体１を設置することができる。従って、床開口用枠体１は、設置箇所の自由度が高いものである。
【図面の簡単な説明】
【００５６】
【図１】（ａ）は、本発明の床開口用枠体を模式的に示す縦断面図であり、（ｂ）は、（ａ）に示す例において釘を打ち込んだ場合の様子を模式的に示す縦断面図である。
【図２】図１に示す例において床板と根太との側面に段差がある場合の様子を模式的に示す縦断面図である。
【図３】（ａ）は、支持部材を模式的に示す正面図であり、（ｂ）は、その平面図であり、（ｃ）は、その縦断面図であり、（ｄ）は、その底面図であり、（ｅ）は、その背面図である。
【図４】本発明に係る枠部材を模式的に示す平面図である。
【図５】（ａ）は、図４に示した枠部材を模式的に示す正面図であり、（ｂ）は、図４に示した枠部材の部分背面図である。
【図６】（ａ）は、図４に示した枠部材を模式的に示す側面図であり、（ｂ）は、図４に示した枠部材のＡ−Ａ線断面図である。
【図７】（ａ）は、図４に示した枠部材を模式的に示す縦断面図であり、（ｂ）は、（ａ）に示した枠部材のＢ−Ｂ線断面図であり、（ｃ）は、（ａ）に示した枠部材の背面図であり、（ｄ）は、（ａ）に示した枠部材の底面図である。
【図８】（ａ）は、図４に示した枠部材の取付孔近傍を拡大した部分拡大正面図であり、（ｂ）は、（ａ）に示した枠部材の縦断面図であり、（ｃ）は、（ｂ）に示した枠部材のＣ−Ｃ線断面図であり、（ｄ）は、（ｂ）に示した枠部材のＤ−Ｄ線断面図であり、（ｅ）は、（ａ）に示した枠部材の背面図であり、（ｆ）は、（ａ）に示した枠部材の底面図である。
【図９】従来の床下収納庫の一例の床板近傍を拡大して模式的に示す部分拡大縦断面図である。
【図１０】（ａ）は、図９に示す例において補助根太を設計位置より下方に設置した場合の様子を模式的に示す部分拡大縦断面図であり、（ｂ）は、図９に示す例において補助根太を設計位置より上方に設置した場合の様子を模式的に示す部分拡大縦断面図である。
【図１１】従来の床下収納庫の他の一例の床板近傍を拡大して模式的に示す部分拡大縦断面図である。
【図１２】（ａ）は、図１１に示す例において荷重により枠体が変形した様子を模式的に示す部分拡大縦断面図であり、（ｂ）は、図１１に示す例において床板の開口部と根太との側面がずれている場合の様子を模式的に示す部分拡大縦断面図である。
【符号の説明】
【００５７】
１  床開口用枠体
１０  枠部材
１１  係止部
１１ａ  凹部
１２  基体
１３  角筒状部
１４  取付孔
１５  台座部
１６  突部
１７  外側部
１８  案内溝
１９  内側部
２０  キャップ
４０  支持部材
４１  本体部
４１ａ  面取部
４１ｂ  台座部
４２  舌片
４３、４４  挿通孔
４５、４６、４７  押圧片
４８  案内片
８０  収納ボックス
８１  蓋
８２  気密シール
８３  気密パッキン
９０  床板
９０ａ  床面
９０ｂ  （床板の）側面
９１  根太
９３  釘
【図１】
2008196271.tif 000003
【図２】
2008196271.tif 000004
【図３】
2008196271.tif 000005
【図４】
2008196271.tif 000006
【図５】
2008196271.tif 000007
【図６】
2008196271.tif 000008
【図７】
2008196271.tif 000009
【図８】
2008196271.tif 000010
【図９】
2008196271.tif 000011
【図１０】
2008196271.tif 000012
【図１１】
2008196271.tif 000013
【図１２】
2008196271.tif 000014